(57)【要約】第１のメモリ（３５２）を含む室内機（３０）と、第２のメモリ（２９２）を含む室外機（１０）とを備える空気調和機（１００）が提供される。室内機（３０）で利用されるデータを第１のメモリ（３５２）と第２のメモリ（２９２）に記憶し、室外機（１０）で利用されるデータも第１のメモリ（３５２）と第２のメモリ（２９２）に記憶する。
2019244389.tif 000002
【特許請求の範囲】
【請求項１】
第１のメモリを含む室内機と、
第２のメモリを含む室外機とを備える空気調和機であって、
前記室内機で利用されるデータを前記第１のメモリと前記第２のメモリに記憶し、前記室外機で利用されるデータも前記第１のメモリと前記第２のメモリに記憶する、空気調和機。
【請求項２】
前記室内機で利用されるデータは前記第１のメモリの室内データ用領域と前記第２のメモリの室内データ用領域とに記憶され、前記室外機で利用されるデータは前記第１のメモリの室外データ用領域と前記第２のメモリの室外データ用領域とに記憶される、請求項１に記載の空気調和機。
【請求項３】
前記第２のメモリに前記室外機で利用されるデータが記憶されていない場合に前記第１のメモリの前記室外機で利用されるデータを前記室外機に転送し、前記第１のメモリに前記室内機で利用されるデータが記憶されていない場合に前記第２のメモリの前記室内機で利用されるデータを前記室内機に転送する、請求項１または２に記載の空気調和機。
【請求項４】
前記第１のメモリに前記室内機で利用されるデータが記憶されており前記第２のメモリに前記室内機で利用される別のデータが記憶されている場合は、所定の条件が満たされた場合に、一方のデータで他方のデータを上書きする、請求項３に記載のネットワークシステム。
【請求項５】
前記第１のメモリに前記室外機で利用されるデータが記憶されており前記第２のメモリに前記室外機で利用される別のデータが記憶されている場合は、所定の条件が満たされた場合に、一方のデータで他方のデータを上書きする、請求項３または４に記載のネットワークシステム。
【請求項６】
前記第１のメモリに前記室内機で利用されるデータが記憶されていない場合は空気調和運転よりも前記第１のメモリへのデータの転送を最優先し、前記第１のメモリに前記室外機で利用されるデータが記憶されていない場合は前記第１のメモリへのデータの転送の優先度を落とし、空気調和運転に利用するデータ転送と並行して、第１のメモリへのデータ転送を実施する、請求項３から５のいずれか１項に記載の空気調和機。
【請求項７】
前記第２のメモリに前記室外機で利用されるデータが記憶されていない場合は空気調和運転よりも前記第２のメモリへのデータの転送を最優先し、前記第２のメモリに前記室内機で利用されるデータが記憶されていない場合は前記第２のメモリへのデータの転送の優先度を落とし、空気調和運転に利用するデータ転送と並行して、第２のメモリへのデータ転送を実施する、請求項３から６のいずれか１項に記載の空気調和機。
【発明の詳細な説明】
【技術分野】
【０００１】
本発明は、空気調和機の技術に関し、特に室内機と室外機とを有する空気調和機およびネットワークシステムの技術に関する。
【背景技術】
【０００２】
従来から、室内機に制御基板やメモリなどを搭載し、室外機にも制御基板やメモリなどを搭載する空気調和機が知られている。たとえば、特開平４−３５９７４１公報（特許文献１）には、空気調和機の制御装置が開示されている。特許文献１によると、室外機側制御装置のＣＰＵは、室内機側制御装置よりプログラム要求信号を受け付けると、ＲＯＭより室内機の運転制御プログラムを読み出し送信する。室内機のＣＰＵは、運転制御プログラムを受信すると、ＲＡＭへ順次書き込み、書き込みを終了すると、ＲＡＭに書き込まれたプログラムを実行する。
【先行技術文献】
【特許文献】
【０００３】
【特許文献１】特開平４−３５９７４１公報
【発明の概要】
【発明が解決しようとする課題】
【０００４】
本発明の目的は、室内機側のデータと室外機側のデータを効率的に格納することができる空気調和機を提供することにある。
【課題を解決するための手段】
【０００５】
この発明のある態様に従うと、第１のメモリを含む室内機と、第２のメモリを含む室外機とを備える空気調和機が提供される。室内機で利用されるデータを第１のメモリと第２のメモリに記憶し、室外機で利用されるデータも第１のメモリと第２のメモリに記憶する。
【発明の効果】
【０００６】
以上のように、本発明によれば、室内機側のデータと室外機側のデータを効率的に格納することができる空気調和機が提供される。
【図面の簡単な説明】
【０００７】
【図１】第１の実施の形態にかかる空気調和機の概要を示すイメージ図である。
【図２】第１の実施の形態にかかる空気調和機１００の冷房運転時および除湿運転、除霜運転時の概略構成図である。
【図３】第１の実施の形態にかかる空気調和機１００の暖房運転時の概略構成図である。
【図４】第１の実施の形態にかかる室内制御部３５と室外制御部２９との構成を示すブロック図である。
【図５】第１の実施の形態にかかる室内制御部３５の情報処理を示すフローチャートである。
【図６】第１の実施の形態にかかる量産基板と量産基板との間の第１のデータの取り扱いを示すイメージ図である。
【図７】第１の実施の形態にかかる量産基板と量産基板との間の第２のデータの取り扱いを示すイメージ図である。
【図８】第１の実施の形態にかかる量産基板と量産基板との間の第３のデータの取り扱いを示すイメージ図である。
【図９】第１の実施の形態にかかる量産基板と量産基板との間の第４のデータの取り扱いを示すイメージ図である。
【図１０】第１の実施の形態にかかる量産基板とサービス基板との間の第１のデータの取り扱いを示すイメージ図である。
【図１１】第１の実施の形態にかかる量産基板とサービス基板との間の第２のデータの取り扱いを示すイメージ図である。
【図１２】第１の実施の形態にかかる量産基板とサービス基板との間の第３のデータの取り扱いを示すイメージ図である。
【図１３】第１の実施の形態にかかるサービス基板とサービス基板との間の第１のデータの取り扱いを示すイメージ図である。
【図１４】第１の実施の形態にかかるサービス基板とサービス基板との間の第２のデータの取り扱いを示すイメージ図である。
【図１５】第１の実施の形態にかかるサービス基板とサービス基板との間の第５のデータの取り扱いを示すイメージ図である。
【図１６】第２の実施の形態にかかるサービス基板とサービス基板との間のデータの取り扱いを示すイメージ図である。
【発明を実施するための形態】
【０００８】
以下、図面を参照しつつ、本発明の実施の形態について説明する。以下の説明では、同一の部品には同一の符号を付してある。それらの名称および機能も同じである。したがって、それらについての詳細な説明は繰り返さない。
【０００９】
＜第１の実施の形態＞
＜空気調和機１００の概要＞
まず、図１を参照しながら、本実施の形態にかかる空気調和機１００の概要について説明する。本実施の形態にかかる空気調和機１００は、主に、室内機３０と室外機１０とから構成される。両者は、冷媒配管や信号線などによって連結されている。
【００１０】
そして、空気調和機１００が出荷されて、ユーザ宅に設置されたときは（ステップＳ００２）、室内機３０のメモリは室内機用のデータを記憶し、室外機１０のメモリは室外機用のデータを記憶している。
【００１１】
設置後に初めて電源がＯＮされると（ステップＳ００４）、室内機３０のメモリに記憶されている室内機用のデータが室外機１０に転送され、当該データが室外機１０に記憶される。同様に、室外機１０のメモリに記憶されている室外機用のデータが室内機３０に転送され、当該データが室内機３０に記憶される。
【００１２】
その後、何らかの理由によって、室外機１０の制御基板がサービス用の制御基板に交換されると（ステップＳ００６）、室外機１０のメモリには、室外機用のデータが記憶されていない状態となってしまう。本実施の形態においては、室内機３０のメモリに記憶されている室外機用のデータが室外機１０に転送され、当該データが室外機１０に記憶される。また、室内機３０のメモリに記憶されている室内機用のデータも室外機１０に転送され、当該データが室外機１０に記憶される（ステップＳ００８）。
【００１３】
このような構成および機能を有するため、本実施の形態にかかる空気調和機１００に関しては、サービスマンが室内用のメモリや制御基板や室外用のメモリや制御基板に、ある程度汎用性のあるものを利用しても、適切なデータが室内機３０のメモリや室外機１０のメモリにコピーされるため、全ての機種や全ての型番毎に室内機用のメモリや室外機用のメモリを準備しておく必要がなくなる。換言すれば、工場で製造する際のメモリの種類やサービスマンがストックしておくべきメモリの種類を低減することができる。以下、このような機能を実現するための空気調和機１００の具体的な構成について詳述する。
【００１４】
＜空気調和機１００の構成＞
図２および図３を参照して、本実施の形態にかかる空気調和機１００は、セパレート式の空気調和機であって、主に、室外機１０、室内機３０およびリモートコントローラ５０から構成されている。なお、空気調和機１００は、室外機１０と室内機３０とが冷媒配管１７および１８を介して接続されることによって構成されている。以下、室外機１０、室内機３０、リモートコントローラ５０、冷媒配管１７および１８について詳述する。
【００１５】
（１）室外機
室外機１０は、主に、筐体１１、圧縮機１２、四路切換弁１３、室外熱交換器１４、膨張弁１５、室外ファン１６、冷媒配管１７、冷媒配管１８、二方弁１９、三方弁２０、室外熱交換器温度センサ２１、吐出温度センサ２２、吸入温度センサ２３、室外熱交換器出口温度センサ２４、外気温度センサ２５および室外制御部２９から構成されている。なお、この室外機１０は、屋外に設置されている。
【００１６】
圧縮機１２は、吐出管１２ａおよび吸入管１２ｂを有している。吐出管１２ａおよび吸入管１２ｂは、それぞれ、四路切換弁１３の異なる接続口に接続されている。また、圧縮機１２は、通信線を介して室外制御部２９に通信接続されており、室外制御部２９から送信される制御信号に従って動作する。圧縮機１２は、運転時、吸入管１２ｂから低圧の冷媒ガスを吸入し、その冷媒ガスを圧縮して高圧の冷媒ガスを生成した後、その高圧の冷媒ガスを吐出管１２ａから吐出する。
【００１７】
四路切換弁１３は、冷媒配管を介して圧縮機１２の吐出管１２ａおよび吸入管１２ｂ、室外熱交換器１４ならびに室内熱交換器３２に接続されている。そして、この四路切換弁１３は、通信線を介して室外制御部２９に通信接続されており、室外制御部２９から送信される制御信号に従って動作する。これによって、四路切換弁１３は、運転時、室外制御部２９から送信される制御信号に従って、圧縮機１２の吐出管１２ａを室外熱交換器１４に連結させると共に圧縮機１２の吸入管１２ｂを室内熱交換器３２に連結させる冷房運転や除湿運転や除霜運転状態（図２参照）と、圧縮機１２の吐出管１２ａを室内熱交換器３２に連結させると共に圧縮機１２の吸入管１２ｂを室外熱交換器１４に連結させる暖房運転状態（図３参照）とを切り換える。
【００１８】
室外熱交換器１４は、左右両端で複数回折り返された伝熱管（図示せず）に多数の放熱フィン（図示せず）が取り付けられたもの（フィン＆チューブ型）であって、冷房運転時や除霜運転時（図２参照）には凝縮器として機能し、暖房運転時（図３参照）には蒸発器として機能する。なお、熱交換器としてパラレルフロー型熱交換器やサーペンタイン型熱交換器を用いてもよい。
【００１９】
膨張弁１５は、後述するステッピングモータを介して開度制御が可能な電子膨張弁である。膨張弁１５は、一方が冷媒配管１７を介して二方弁１９に接続されると共に、他方が室外熱交換器１４に接続されている。また、この膨張弁１５のステッピングモータは、通信線を介して室外制御部２９に通信接続されており、室外制御部２９から送信される制御信号に従って動作する。膨張弁１５は、運転時において、凝縮器（冷房運転時や除湿運転時や除霜運転時は室外熱交換器１４であり、暖房運転時は室内熱交換器３２である）から流出する高温高圧の液冷媒を蒸発しやすい状態に減圧すると共に、蒸発器（冷房運転時や除湿運転時や除霜運転時は室内熱交換器３２であり、暖房運転時は室外熱交換器１４である）への冷媒供給量を調節する役目を担っている。
【００２０】
室外ファン１６は、主に、プロペラファンおよびモータから構成されている。プロペラファンは、モータによって回転駆動され、屋外の外気を室外熱交換器１４に供給する。モータは、通信線を介して室外制御部２９に通信接続されており、室外制御部２９から送信される制御信号に従って動作する。
【００２１】
二方弁１９は、冷媒配管１７に配設されている。なお、二方弁１９は、室外機１０から冷媒配管１７が取り外されるときに閉じられ、冷媒が室外機１０から外部に漏れることを防ぐ。
【００２２】
三方弁２０は、冷媒配管１８に配設されている。なお、三方弁２０は、室外機１０から冷媒配管１８が取り外されるときに閉じられ、冷媒が室外機１０から外部に漏れることを防ぐ。また、室外機１０から、あるいは室内機３０を含めた冷凍サイクル全体から、冷媒を回収する必要があるときは、三方弁２０を通じて冷媒の回収が行われる。
【００２３】
温度センサ２１〜２５は、サーミスタである。室外熱交換器温度センサ２１は室外熱交換器１４に配置されており、吐出温度センサ２２は圧縮機１２の吐出管１２ａに配置されており、吸入温度センサ２３は圧縮機１２の吸入管１２ｂに配置されており、室外熱交換器出口温度センサ２４は室外熱交換器１４の出口付近の冷媒配管１７に配置されており、外気温度センサ２５は外気温度測定用であって筐体１１の内部の所定箇所に配置されている。より詳細には、外気温度センサ２５は、例えば、室外ファン１６によって室外熱交換器１４に供給される前の外気の温度を検知できる箇所に配置されることが好ましい。これらの温度センサ２１〜２５は、全て、通信線を介して室外制御部２９に通信接続されており、計測された温度に関する情報を室外制御部２９に送信している。
【００２４】
室外制御部２９は、通信線を介して圧縮機１２、四路切換弁１３、膨張弁１５、室外ファン１６、温度センサ２１〜２５に通信接続されている。たとえば、室外制御部２９のプロセッサは、随時、温度センサ２１〜２５の出力情報や、メモリに記憶される種々の制御パラメータ等を演算処理して適切な制御パラメータを導出し、その制御パラメータを、圧縮機１２や、四路切換弁１３、膨張弁１５、室外ファン１６に送信する。また、プロセッサは、必要に応じて、制御パラメータ等を室内制御部３５に送信したり、受信したりする。
【００２５】
（２）室内機
室内機３０は、主に、筐体３１、室内熱交換器３２、室内ファン３３、室内熱交換器温度センサ３４、室内温度センサ３７、室内制御部３５、フィルタ１０４、縦ルーバ（上下風向板）１０５、図示しない横ルーバ（左右風向板）から構成されている。
【００２６】
筐体３１には、室内熱交換器３２、室内ファン３３、室内熱交換器温度センサ３４、室内温度センサ３７、および室内制御部３５等が収納されている。縦ルーバ１０５は、筐体３１の一部を構成している。
【００２７】
室内熱交換器３２は、３個の熱交換器３２Ａ、３２Ｂ、３２Ｃを、室内ファン３３を覆う屋根（逆Ｖ字形、ラムダ型）のように組み合わせたものである。なお、各熱交換器３２Ａ、３２Ｂ、３２Ｃは、左右両端で複数回折り返された伝熱管（図示せず）に多数の放熱フィン（図示せず）が取り付けられたものであって、冷房運転時および除湿運転時や除霜運転時（図２参照）には蒸発器として機能し、暖房運転時（図３参照）には凝縮器として機能する。
【００２８】
室内ファン３３は、主に、クロスフローファンおよびモータから構成されている。クロスフローファンは、モータによって回転駆動され、室内の空気を吸い込み口１０２からフィルタ１０４を通して筐体３１に吸い込んで室内熱交換器３２に供給すると共に、室内熱交換器３２で熱交換された空気を吹き出し口１０３を介して室内に送出する。モータは、通信線を介して室内制御部３５に通信接続されており、室内制御部３５から送信される制御信号に従って動作する。
【００２９】
温度センサ３４は、サーミスタである。室内熱交換器温度センサ３４は室内熱交換器３２に配置されており、室内温度センサ３７は、室内温度を測定するものであって筐体３１内の吸込口付近に配置されている。温度センサ３４，３７は、通信線を介して室内制御部３５に通信接続されており、計測された温度に関する情報を室内制御部３５に送信している。
【００３０】
室内制御部３５は、通信線を介して室内ファン３３、温度センサ３４，３７などに通信接続されている。室内制御部３５のプロセッサは、随時、リモートコントローラ５０からの制御信号や、温度センサ３４，３７などの出力情報等を演算処理して適切な制御パラメータを導出し、その制御パラメータ等を、室内ファン３３などに送信する。また、プロセッサは、必要に応じて、制御パラメータ等を室外制御部２９に送信したり、制御パラメータ等を室外制御部２９から受信したりする。赤外線受光部３６は、リモートコントローラ５０から発生される点滅赤外線を受光するものである。この赤外線受光部３６は、点滅赤外線を信号化処理し、生成した信号を室内制御部３５に受け渡す。
【００３１】
なお、室外機１０の圧縮機１２、四路切換弁１３、室外熱交換器１４および膨張弁１５、ならびに室内機３０の室内熱交換器３２は、冷媒配管１７，１８によって順次接続され、冷媒回路（冷凍サイクル）を構成している。
【００３２】
（３）冷媒配管
冷媒配管１７は、冷媒配管１８よりも細い管であって、冷房運転時、除湿運転時および除霜運転時に液冷媒が流れる。冷媒配管１８は、冷媒配管１７よりも太い管であって、冷房運転時にガス冷媒が流れる。
【００３３】
＜制御部の構成の構成＞
本実施の形態にかかる空気調和機１００は、上述した通り、室内制御部３５と室外制御部２９とを含む。以下では、図４を参照して、室内制御部３５と室外制御部２９とを含む制御部の構成について説明する。
【００３４】
室内制御部３５は、室内制御基板３５Ａと通信制御基板３５Ｂとを含む。室内制御基板３５Ａには、マイクロコンピュータ３５０や、ＲＡＭ（Random access memory）３５３や、ＲＯＭ（Read Only Memory）３５４や、シリアル通信インターフェース３５８などが配置される。マイクロコンピュータ３５０は、ＣＰＵ（Central Processing Unit）３５１や、フラッシュメモリ３５２を含む。フラッシュメモリ３５２は、コード領域３５２１とデータ領域３５２２とを含む。そしてデータ領域３５２２は、予め、少なくとも、室内機用のデータが格納される第１の領域３５２２−１と、室外機用のデータが格納される第２の領域３５２２−２と、自身の基板が量産機に取り付けられる量産基板かサービスマンが取り換え用に利用するサービス基板であるかを示すデータの領域３５２２−３が準備されている。なお、フラッシュメモリ３５２は、不揮発性のメモリであればよい。
【００３５】
通信制御基板３５Ｂには、マイクロコンピュータ３５５や、ＷｉＦｉアンテナ３５９などが配置される。マイクロコンピュータ３５５は、ＣＰＵ３５６や、フラッシュメモリ３５７を含む。フラッシュメモリ３５７は、コード領域３５７１とデータ領域３５７２とを含む。なお、フラッシュメモリ３５７は、不揮発性のメモリであればよい。
【００３６】
室外制御部２９は、室外制御基板２９Ａを含む。室外制御基板２９Ａには、マイクロコンピュータ２９０や、シリアル通信インターフェース２９８などが配置される。マイクロコンピュータ２９０は、ＣＰＵ２９１や、フラッシュメモリ２９２を含む。フラッシュメモリ２９２は、コード領域２９２１とデータ領域２９２２とを含む。そしてデータ領域２９２２は、予め、少なくとも、室内機用のデータが格納される第１の領域２９２２−１と、室外機用のデータが格納される第２の領域２９２２−２と、自身の基板が量産機に取り付けられる量産基板かサービスマンが取り換え用に利用するサービス基板であるかを示すデータの領域２９２２−３が準備されている。なお、フラッシュメモリ２９２は、不揮発性のメモリであればよい。
【００３７】
そして、本実施の形態においては、室内制御部３５のＣＰＵ３５１または室外制御部２９のＣＰＵ２９１（説明のために以下では制御部という。）は、電源アダプタがコンセントに差し込まれた際や、電源をＯＮされた際や、運転を開始した際など、室内制御部３５と室外制御部２９とが通信を開始した際に図５に示す処理を実行する。
【００３８】
まず、制御部は、室内制御基板３５Ａの第３の領域３５２２−３、室外制御基板２９Ａの第３の領域２９２２−３を参照して、室内制御基板３５Ａと室外制御基板２９Ａとがともに量産基板であるか否かを判断する（ステップＳ１０２）。室内制御基板３５Ａと室外制御基板２９Ａとがともに量産基板である場合（ステップＳ１０２にてＹＥＳである場合）、制御部は、室内制御基板３５Ａと室外制御基板２９Ａとが初期状態であるか否かを判断する（ステップＳ１０４）。
【００３９】
初期状態、すなわち、室内制御基板３５Ａのデータ領域３５２２の第１の領域３５２２−１と室外制御基板２９Ａのデータ領域２９２２の第２の領域２９２２−２にデータが書き込まれ、室外制御基板２９Ａのデータ領域２９２２の第１の領域２９２２−１と室内制御基板３５Ａのデータ領域３５２２の第２の領域３５２２−２にデータが書き込まれてない場合（ステップＳ１０４にてＹＥＳである場合）、図６に示すように、制御部は、シリアル通信インターフェース３５８，２９８を介して、室内制御基板３５Ａのデータ領域３５２２の第１の領域３５２２−１の室内機用のデータを室外制御基板２９Ａのデータ領域２９２２の第１の領域２９２２−１に転送し、シリアル通信インターフェース３５８，２９８を介して、室外制御基板２９Ａのデータ領域２９２２の第２の領域２９２２−２の室外機用のデータを室内制御基板３５Ａのデータ領域３５２２の第２の領域３５２２−２に転送する（ステップＳ１０６）。
【００４０】
初期状態でない場合（ステップＳ１０４にてＮＯである場合）、制御部は、通常状態であるか否かを判断する（ステップＳ１０８）。通常状態、すなわち、室内制御基板３５Ａのデータ領域３５２２の第１の領域３５２２−１と室外制御基板２９Ａのデータ領域２９２２の第１の領域２９２２−１に室内機用の同じデータが格納され、室外制御基板２９Ａのデータ領域２９２２の第２の領域２９２２−２と室内制御基板３５Ａのデータ領域３５２２の第２の領域３５２２−２に室外機用の同じデータが格納されている場合（ステップＳ１０８にてＹＥＳである場合）、図７に示すように、制御部は、今回の処理を終了する。
【００４１】
通常状態でない場合（ステップＳ１０８にてＮＯである場合）、制御部は、記憶されているデータがバージョン違いの状態であるか否かを判断する（ステップＳ１１０）。パージョン違いの状態、すなわち、室内制御基板３５Ａのデータ領域３５２２の第１の領域３５２２−１と室外制御基板２９Ａのデータ領域２９２２の第１の領域２９２２−１とが、互いに、同じ種類のデータであって、バージョンが異なるデータを記憶している場合、あるいは、室外制御基板２９Ａのデータ領域２９２２の第２の領域２９２２−２と室内制御基板３５Ａのデータ領域３５２２の第２の領域３５２２−２とが、互いに、同じ種類のデータであって、バージョンが異なるデータを記憶している場合（ステップＳ１１０にてＹＥＳである場合）、図８に示すように、制御部は、新しいバージョンのデータで、他方のデータを更新する。
【００４２】
室内制御基板３５Ａのデータ領域３５２２の第１の領域３５２２−１と室外制御基板２９Ａのデータ領域２９２２の第１の領域２９２２−１のデータの種類や能力が異なる場合、あるは、室外制御基板２９Ａのデータ領域２９２２の第２の領域２９２２−２と室内制御基板３５Ａのデータ領域３５２２の第２の領域３５２２−２のデータの種類や能力が異なる場合（ステップＳ１１０にてＮＯである場合）、図９に示すように、制御部は、エラー表示やエラー音声を出力する（ステップＳ１１２）。
【００４３】
室内制御基板３５Ａと室外制御基板２９Ａの少なくともいずれかがサービス基板である場合（ステップＳ１０２にてＮＯである場合）、制御部は、室内制御基板３５Ａと室外制御基板２９Ａの一方が量産基板で他方がサービス基板であるか否かを判断する（ステップＳ１２２）。室内制御基板３５Ａと室外制御基板２９Ａの一方が量産基板で他方がサービス基板である場合（ステップＳ１２２にてＹＥＳである場合）、制御部は、量産基板の方の室内機用のデータおよび室外機用のデータの両方が格納されているか否かを判断する（ステップＳ１２４）。
【００４４】
量産基板の方の室内機用のデータまたは室外機用のデータのいずれかにデータが格納されていない場合（ステップＳ１２４にてＮＯである場合）、図１０に示すように、制御部は、エラー表示やエラー音声を出力する（ステップＳ１２６）。
【００４５】
量産基板の方の室内機用のデータおよび室外機用のデータの両方が格納されている場合（ステップＳ１２４にてＹＥＳである場合）、制御部は、室内制御基板３５Ａのデータ領域３５２２の第１の領域３５２２−１と室外制御基板２９Ａのデータ領域２９２２の第１の領域２９２２−１のデータが同じであって、かつ室内制御基板３５Ａのデータ領域３５２２の第２の領域３５２２−２と室外制御基板２９Ａのデータ領域２９２２の第２の領域２９２２−２とが同じであるか否かを判断する（ステップＳ１２８）。室内制御基板３５Ａのデータ領域３５２２の第１の領域３５２２−１と室外制御基板２９Ａのデータ領域２９２２の第１の領域２９２２−１のデータが同じであって、かつ室内制御基板３５Ａのデータ領域３５２２の第２の領域３５２２−２と室外制御基板２９Ａのデータ領域２９２２の第２の領域２９２２−２とが同じである場合（ステップＳ１２８にてＹＥＳである場合）、図１１に示すように、制御部は、今回の処理を終了する。
【００４６】
室内制御基板３５Ａのデータ領域３５２２の第１の領域３５２２−１と室外制御基板２９Ａのデータ領域２９２２の第１の領域２９２２−１のデータのバージョンが異なる場合あるいは室内制御基板３５Ａのデータ領域３５２２の第２の領域３５２２−２と室外制御基板２９Ａのデータ領域２９２２の第２の領域２９２２−２のデータのバージョンが異なる場合（ステップＳ１２８にてＮＯである場合）、図１２に示すように、制御部は、シリアル通信インターフェース３５８，２９８を介して、新しいバージョンのデータによって古いバージョンのデータを更新する（ステップＳ１３０）。
【００４７】
室内制御基板３５Ａと室外制御基板２９Ａが両方ともサービス基板である場合（ステップＳ１２２にてＮＯである場合）、室内機用のデータがどちらにも格納されていない、または室外機用のデータがどちらにも格納されていない、という状態であるか否かを判断する（ステップＳ１４２）。室内機用のデータがどちらにも格納されていない、および／または、室外機用のデータがどちらにも格納されていない場合（ステップＳ１４２にてＹＥＳである場合）、図１３または図１４に示すように、制御部は、エラー表示やエラー音声を出力する（ステップＳ１４４）。
【００４８】
室内機用のデータと室外機用のデータがいずれかの領域に格納されている場合（ステップＳ１４２にてＮＯである場合）、制御部は、室内制御基板３５Ａのデータ領域３５２２の第１の領域３５２２−１と室外制御基板２９Ａのデータ領域２９２２の第１の領域２９２２−１のデータが同じであって、室内制御基板３５Ａのデータ領域３５２２の第２の領域３５２２−２と室外制御基板２９Ａのデータ領域２９２２の第２の領域２９２２−２に同じデータが記憶されているか否かを判断する（ステップＳ１４６）。両方とも同じである場合（ステップＳ１４６にてＹＥＳである場合）、図１４に示すように、制御部は、今回の処理を終了する。
【００４９】
いずれかのデータが異なる場合（ステップＳ１４６にてＮＯである場合）、制御部は、図１５に示すように、室内制御基板３５Ａのデータ領域３５２２の第１の領域３５２２−１が書き込まれていない場合は室外制御基板２９Ａのデータ領域２９２２の第１の領域２９２２−１のデータを室内制御基板３５Ａのデータ領域３５２２の第１の領域３５２２−１にコピーして、逆に、室外制御基板２９Ａのデータ領域２９２２の第１の領域２９２２−１が書き込まれていない場合は室内制御基板３５Ａのデータ領域３５２２の第１の領域３５２２−１のデータを室外制御基板２９Ａのデータ領域２９２２の第１の領域２９２２−１にコピーして、室外制御基板２９Ａのデータ領域２９２２の第２の領域２９２２−２が書き込まれていない場合は室内制御基板３５Ａのデータ領域３５２２の第２の領域３５２２−２のデータを室外制御基板２９Ａのデータ領域２９２２の第２の領域２９２２−２にコピーして、逆に室内制御基板３５Ａのデータ領域３５２２の第２の領域３５２２−２にデータが書き込まれていない場合は室外制御基板２９Ａのデータ領域２９２２の第２の領域２９２２−２のデータを室内制御基板３５Ａのデータ領域３５２２の第２の領域３５２２−２にコピーする（ステップＳ１５２）。
【００５０】
＜第２の実施の形態＞
上記の実施の形態においては、サービス基板と量産基板とが矛盾するデータを記憶している場合、量産基板のデータを信頼して、サービス基板の方を書き替えるものであったが、優先順位はこのような形態には限られない。たとえば、図１６に示すように、室内機側のデータ領域３５２２に室内側の制御基板の通電時間を記憶して、室外機側のデータ領域１９２２に室外側の制御基板の通電時間を記憶することによって、通電時間が長い方のデータを信頼して、他方を書き換える構成であってもよい。
【００５１】
＜第３の実施の形態＞
また、上記の実施の形態におけるデータのコピーに関しては、たとえば、図５のステップＳ１０６やステップＳ１１２やステップＳ１３０やステップＳ１５２などにおいて、制御部は、室外機用のデータを、室内制御基板３５Ａのデータ領域３５２２の第２の領域３５２２−２から室外制御基板２９Ａのデータ領域２９２２の第２の領域２９２２−２にコピーする場合は、その他の空気調和運転の制御処理よりも優先して行うことが好ましい。逆に、制御部は、室外制御基板２９Ａのデータ領域２９２２の第２の領域２９２２−２から室内制御基板３５Ａのデータ領域３５２２の第２の領域３５２２−２へのデータのコピーよりも空気調和運転の制御処理を優先することが好ましい。
【００５２】
制御部は、室内機用のデータを、室外制御基板２９Ａのデータ領域２９２２の第１の領域２９２２−１から室内制御基板３５Ａのデータ領域３５２２の第１の領域３５２２−１にコピーする場合も、その他の空気調和運転の制御処理よりも優先して行うことが好ましい。そして、制御部は、室内制御基板３５Ａのデータ領域３５２２の第１の領域３５２２−１から室外制御基板２９Ａのデータ領域２９２２の第１の領域２９２２−１へのデータのコピーよりも空気調和運転の制御処理を優先することが好ましい。
【００５３】
ただし、制御部は、室外機用のデータを、室内制御基板３５Ａのデータ領域３５２２の第２の領域３５２２−２から室外制御基板２９Ａのデータ領域２９２２の第２の領域２９２２−２にコピーする場合は、その他の空気調和運転の制御処理よりも優先して行うが、室内機用のデータのコピーよりも空気調和運転の制御処理を優先してもよい。
【００５４】
＜第４の実施の形態＞
上記の実施の形態においては、室内制御基板３５Ａのデータ領域３５２２や室外制御基板２９Ａのデータ領域２９２２のデータのバックアップについて説明したが、上記の機能や処理や構成は、室内制御基板３５Ａのコード領域３５２１や室外制御基板２９Ａのコード領域２９２１のデータのバックに適用してもよいし、その他の種類のデータのバックアップに適用してもよい。
【００５５】
＜まとめ＞
上記の実施の形態においては、第１のメモリ３５２を含む室内機３０と、第２のメモリ２９２を含む室外機１０とを備える空気調和機１００が提供される。室内機３０で利用されるデータを第１のメモリ３５２と第２のメモリ２９２に記憶し、室外機１０で利用されるデータも第１のメモリ３５２と第２のメモリ２９２に記憶する。
【００５６】
好ましくは、室内機３０で利用されるデータは第１のメモリ３５２の室内データ用領域３５２２−１と第２のメモリ２９２の室内データ用領域２９２２−１とに記憶され、室外機１０で利用されるデータは第１のメモリ３５２の室外データ用領域３５２２−２と第２のメモリ２９２の室外データ用領域２９２２−２とに記憶される。
【００５７】
好ましくは、第２のメモリ２９２に室外機１０で利用されるデータが記憶されていない場合に第１のメモリ３５２の室外機１０で利用されるデータを室外機１０に転送し、第１のメモリ３５２に室内機３０で利用されるデータが記憶されていない場合に第２のメモリ２９２の室内機３０で利用されるデータを室内機３０に転送する。
【００５８】
好ましくは、第１のメモリ３５２に室内機３０で利用されるデータが記憶されており第２のメモリ２９２に室内機３０で利用される別のデータが記憶されている場合は、所定の条件が満たされた場合に、一方のデータで他方のデータを上書きする。
【００５９】
好ましくは、第１のメモリ３５２に室外機１０で利用されるデータが記憶されており第２のメモリ２９２に室外機１０で利用される別のデータが記憶されている場合は、所定の条件が満たされた場合に、一方のデータで他方のデータを上書きする。
【００６０】
好ましくは、第１のメモリ３５２に室内機３０で利用されるデータが記憶されていない場合は空気調和運転よりも第１のメモリ３５２へのデータの転送を最優先し、第１のメモリ３５２に室外機１０で利用されるデータが記憶されていない場合は第１のメモリ３５２へのデータの転送の優先度を落とし、空気調和運転に利用するデータ転送と並行して、第１のメモリへのデータ転送を実施する。
【００６１】
好ましくは、第２のメモリ２９２に室外機１０で利用されるデータが記憶されていない場合は空気調和運転よりも第２のメモリ２９２へのデータの転送を最優先し、第２のメモリ２９２に室内機３０で利用されるデータが記憶されていない場合は第２のメモリ２９２へのデータの転送の優先度を落とし、空気調和運転に利用するデータ転送と並行して、第２のメモリ２９２へのデータ転送を実施する。
【００６２】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００６３】
１０          ：室外機
１１          ：筐体
１２          ：圧縮機
１２ａ        ：吐出管
１２ｂ        ：吸入管
１３          ：四路切換弁
１４          ：室外熱交換器
１５          ：膨張弁
１６          ：室外ファン
１７          ：冷媒配管
１８          ：冷媒配管
１９          ：二方弁
２０          ：三方弁
２１          ：室外熱交換器温度センサ
２２          ：吐出温度センサ
２３          ：吸入温度センサ
２４          ：室外熱交換器出口温度センサ
２５          ：外気温度センサ
２９          ：室外制御部
２９Ａ        ：室外制御基板
３０          ：室内機
３１          ：筐体
３２          ：室内熱交換器
３２Ａ        ：熱交換器
３２Ｂ        ：熱交換器
３２Ｃ        ：熱交換器
３３          ：室内ファン
３４          ：室内熱交換器温度センサ
３５          ：室内制御部
３５Ａ        ：室内制御基板
３５Ｂ        ：通信制御基板
３６          ：赤外線受光部
３７          ：室内温度センサ
５０          ：リモートコントローラ
１００        ：空気調和機
１０２        ：吸い込み口
１０３        ：吹き出し口
１０４        ：フィルタ
１０５        ：縦ルーバ
２９０        ：マイクロコンピュータ
２９１        ：ＣＰＵ
２９２        ：フラッシュメモリ（第２のメモリ）
２９８        ：シリアル通信インターフェース
３５０        ：マイクロコンピュータ
３５１        ：ＣＰＵ
３５２        ：フラッシュメモリ（第１のメモリ）
３５５        ：マイクロコンピュータ
３５６        ：ＣＰＵ
３５７        ：フラッシュメモリ
３５８        ：シリアル通信インターフェース
３５９        ：ＷｉＦｉアンテナ
１９２２      ：データ領域
２９２１      ：コード領域
２９２２      ：データ領域
２９２２−１  ：室内データ用領域（第１の領域）
２９２２−２  ：室外データ用領域（第２の領域）
２９２２−３  ：第３の領域
３５２１      ：コード領域
３５２２      ：データ領域
３５２２−１  ：室内データ用領域（第１の領域）
３５２２−２  ：室外データ用領域（第２の領域）
３５２２−３  ：第３の領域
３５７１      ：コード領域
３５７２      ：データ領域
【図１】
2019244389.tif 000003
【図２】
2019244389.tif 000004
【図３】
2019244389.tif 000005
【図４】
2019244389.tif 000006
【図５】
2019244389.tif 000007
【図６】
2019244389.tif 000008
【図７】
2019244389.tif 000009
【図８】
2019244389.tif 000010
【図９】
2019244389.tif 000011
【図１０】
2019244389.tif 000012
【図１１】
2019244389.tif 000013
【図１２】
2019244389.tif 000014
【図１３】
2019244389.tif 000015
【図１４】
2019244389.tif 000016
【図１５】
2019244389.tif 000017
【図１６】
2019244389.tif 000018
【国際調査報告】
2019244389.tif 000019
2019244389.tif 000020